(57)【要約】  記録媒体の再生時に該記録媒体に記録されたコンテンツを判別し、判別したコンテンツに合わせて再生音量の調整を行うことにより煩わしい音量調節作業を解消することが可能とするために、音声データを含むデータ信号を記録媒体から読み取る情報取得手段と、前記情報取得手段において取得した音声データを出力する出力手段と、前記情報取得手段において取得したデータ信号に含まれる字幕情報および音声ストリーム情報の少なくとも一方に基づいて、前記出力手段から出力する音声データの音量レベルを調整する音量レベル調整手段と、を備える。【特許請求の範囲】
【請求項１】
音声データを含むデータ信号を記録媒体から読み取る情報取得手段と、
前記情報取得手段において取得した音声データを出力する出力手段と、
前記情報取得手段において取得したデータ信号に含まれる字幕情報および音声ストリーム情報の少なくとも一方に基づいて、前記出力手段から出力する音声データの音量レベルを調整する音量レベル調整手段と、
を備えることを特徴とする再生装置。
【請求項２】
前記音量レベル調整手段が、前記字幕情報の存在数に基づいて前記出力手段から出力する音声データの音量レベルを調整すること
を特徴とする請求項１に記載の再生装置。
【請求項３】
前記音量レベル調整手段が、前記字幕情報に含まれる言語の数に基づいて前記出力手段から出力する音声データの音量レベルを調整すること
を特徴とする請求項１に記載の再生装置。
【請求項４】
前記音量レベル調整手段が、前記音声ストリーム情報に含まれる音声ストリームの数に基づいて前記出力手段から出力する音声データの音量レベルを調整すること
を特徴とする請求項１に記載の再生装置。
【請求項５】
前記音量レベル調整手段が、音声ストリーム情報に含まれる言語の数に基づいて前記出力手段から出力する音声データの音量レベルを調整すること
を特徴とする請求項１に記載の再生装置。
【請求項６】
音声データを含むデータ信号を記録媒体から読み取る情報取得部と、
前記情報取得部において読み出したデータ信号を復調する復調処理部と、
前記復調処理部において復調したデータ信号の誤り訂正を行う訂正部と
前記訂正部で誤り訂正を行ったデータ信号をビデオ用信号とオーディオ用信号とにストリーム分離するストリーム分離部と、
前記ストリーム分離されたビデオ用信号をビデオ信号に復調するとともに、前記ビデオ用信号に含まれる字幕情報を復調するビデオデコーダ部と、
前記ストリーム分離されたオーディオ用信号をオーディオ信号に復調するとともに、前記オーディオ用信号に含まれるストリーム情報を復調するオーディオデコーダ部と、
前記ビデオデコーダ部において復調した字幕情報および前記オーディオデコーダ部において復調した音声ストリーム情報のいずれか一方、または両方を受け取り、これらの情報の少なくとも一方に基づいて前記復調したオーディオ信号の出力音量レベルの調整を制御する音量レベル調整部と、
前記音量レベル調整部により調整された前記復調されたオーディオ信号を出力する出力部と、
を備えることを特徴とする請求項１に記載の再生装置。
【請求項７】
音声データを含むデータ信号を記録媒体から読み取る情報取得工程と、
前記情報取得工程において取得したデータ信号に含まれる字幕情報および音声ストリーム情報の少なくとも一方に基づいて、前記データ信号に含まれる音声データの出力音量レベルを調整する音量レベル調整工程と、
前記音量レベル調整工程において出力音量調整した音声データを出力する出力工程と、
を含むことを特徴とする再生方法。
【請求項８】
前記音量レベル調整工程において、前記字幕情報の存在数に基づいて前記出力工程において出力する音声データの音量レベルを調整すること
を特徴とする請求項７に記載の再生方法。
【請求項９】
前記音量レベル調整工程において、前記字幕情報に含まれる言語の数に基づいて前記出力工程において出力する音声データの音量レベルを調整すること
を特徴とする請求項７に記載の再生方法。
【請求項１０】
前記音量レベル調整工程において、前記音声ストリーム情報に含まれる音声ストリームの数に基づいて前記出力工程において出力する音声データの音量レベルを調整すること
を特徴とする請求項７に記載の再生方法。
【請求項１１】
前記音量レベル調整工程において、音声ストリーム情報に含まれる言語の数に基づいて前記出力工程において出力する音声データの音量レベルを調整すること
を特徴とする請求項７に記載の再生方法。
【発明の詳細な説明】
【技術分野】
【０００１】
本発明は、音楽系のコンテンツの音声データや映画系のコンテンツの映像データなど、複数のデータを再生することが可能な再生装置および再生方法に関するものである。
【背景技術】
【０００２】
従来、音楽などの音声データや映像データを提供する記録媒体として光ディスクが使用されているが、近年、より大容量の情報が記録できる記録媒体としてＤＶＤが映画系のコンテンツや音楽系のコンテンツ用の記録媒体として広く用いられている。ここで、ＣＤやＤＶＤなどの記録媒体においては、データを記憶するコンテンツにより音量の録音レベル、すなわち再生時の音量レベルが異なってくるのが普通である。また、これらの記録媒体は、ＣＤやＤＶＤなどの複数種の記録媒体の再生が可能な再生装置で再生されることが普通となってきている。【０００３】
たとえば、通常の音楽系のコンテンツのＣＤと音楽系のＤＶＤのコンテンツとにおいては、同じ音楽系のコンテンツであるため再生時の音量レベルの差は大して大きくはない。しかしながら、映画系のコンテンツを記録したＤＶＤにおいては、普通の会話などの音量が小さく抑えられて録音されている。これは、映画系のコンテンツを記録したＤＶＤにおいては、映画としての迫力を出すために、小さい音から大きな音までレンジを広く取り、ダイナミックレンジを大きく取るために行われている。【０００４】
このように、コンテンツの異なるＤＶＤやＣＤを再生した場合には、再々音声の調整が必ず必要となり、ユーザにとっては記録媒体を入れ替える都度、煩わしい音量調整作業を行わなければならない。たとえば、ユーザが映画のコンテンツのＤＶＤを再生した後に、音楽のコンテンツのＤＶＤを再生した場合、映画のコンテンツでは普通の音量が小さく抑えられているため、ユーザは音量をある程度大きくして聴いている。このため、映画のコンテンツのＤＶＤを再生した後に音楽のコンテンツのＤＶＤを再生すると、音量が大きく再生されてしまう。したがって、ユーザは、音量を小さくするための調整を必ず行わなければならない。【０００５】
また、音楽のコンテンツのＤＶＤを再生した後に、映画のコンテンツのＤＶＤを再生した場合を考えた場合、音楽のコンテンツでは映画のコンテンツよりも音量が大きめに録音されている。このため、ユーザはある程度小さめのボリューム設定で音楽を聴いている。このため、音楽のコンテンツのＤＶＤやＣＤを再生した後に映画のコンテンツのＤＶＤを再生すると、ボリューム設定が小さめであり、且つ映画のコンテンツでは普通の音量が小さく抑えられているため、ユーザは音量を大きくするための調整を必ず行わなければならない。【０００６】
このような記録するコンテンツに固有の再生音量に関する技術として、たとえばＣＤ再生兼用ＤＶＤ再生装置と、音声切り替え手段と、音声レベル調節手段を有し、再生されたディスクの音声ストリームの量子化ビット数、サンプリング周波数、およびメディアの種類を示す情報に応じて音声レベル調節手段を選択時に動作させることにより、本来のダイナミックレンジの確保、且つ再生されたディスクに応じた音声レベルを出力する技術が開示されている（例えば、特許文献１参照）。【０００７】
【特許文献１】特開２００３−２８１８２７号公報
【発明の開示】
【発明が解決しようとする課題】
【０００８】
しかしながら、上述したような従来の技術においては、音声ストリームの量子化ビット数やサンプリング周波数に応じて、再生されたディスクの音声を音声レベル調節手段を選択時に動作させるが、これらの情報では、映画のコンテンツのＤＶＤと音楽のコンテンツのＤＶＤのような異なるジャンルを検出できない場合があるという問題がある。【０００９】
本発明は、上記に鑑みてなされたものであって、記録媒体の再生時に該記録媒体に記録されたコンテンツを判別し、判別したコンテンツに合わせて再生音量の調整を行うことにより煩わしい音量調節作業を解消することが可能な再生装置および再生方法を得ることを目的とする。
【課題を解決するための手段】
【００１０】
請求項１に記載の発明は、音声データを含むデータ信号を記録媒体から読み取る情報取得手段と、情報取得手段において取得した音声データを出力する出力手段と、情報取得手段において取得したデータ信号に含まれる字幕情報および音声ストリーム情報の少なくとも一方に基づいて、出力手段から出力する音声データの音量レベルを調整する音量レベル調整手段と、を備えることを特徴とする。【００１１】
また、請求項７に記載の発明は、音声データを含むデータ信号を記録媒体から読み取る情報取得工程と、情報取得工程において取得したデータ信号に含まれる字幕情報および音声ストリーム情報の少なくとも一方に基づいて、データ信号に含まれる音声データの出力音量レベルを調整する音量レベル調整工程と、音量レベル調整工程において出力音量調整した音声データを出力する出力工程と、を含むことを特徴とする。
【図面の簡単な説明】
【００１２】
【図１】図１は、本実施例にかかるＤＶＤ再生装置の概略構成を示す機能ブロック図である。
【図２】図２は、本実施例にかかるＤＶＤ再生装置の処理を説明するためのフローチャートである。
【図３】図３は、本実施例にかかるＤＶＤ再生装置の処理を説明するためのフローチャートである。
【図４】図４は、本実施例にかかるＤＶＤ再生装置の処理を説明するためのフローチャートである。
【図５】図５は、本実施例にかかるＤＶＤ再生装置の処理を説明するためのフローチャートである。
【図６】図６は、本実施例にかかるＤＶＤ再生装置の処理を説明するためのフローチャートである。
【図７】図７は、本実施例にかかるＤＶＤ再生装置の処理を説明するためのフローチャートである。
【図８】図８は、本実施例にかかるＤＶＤ再生装置の処理を説明するためのフローチャートである。
【符号の説明】
【００１３】
１００  ＤＶＤ再生装置
１０１  ピックアップ部
１０２  復調処理部
１０３  誤り訂正部
１０４  デマルチ部
１０５  ビデオデコーダ部
１０６  オーディオデコーダ部
１０７  ビデオ出力部
１０８  音量調整制御部
１０９  音量調整部
１１０  オーディオ出力部
【発明を実施するための最良の形態】
【００１４】
以下に、本発明にかかる再生装置および再生方法について説明する。なお、本発明は以下の記述に限定されるものではなく、本発明の要旨を逸脱しない範囲において適宜変更可能である。【００１５】
［実施の形態］
本発明にかかる再生装置は、情報取得手段と、出力手段と、音量レベル調整手段と、を備えて構成される。情報取得手段は、音声データを含むデータ信号を記録媒体から読み取る。出力手段は、情報取得手段において取得した音声データを出力する。音量レベル調整手段は、情報取得手段において取得したデータ信号に含まれる字幕情報および音声ストリーム情報の少なくとも一方に基づいて、出力手段から出力する音声データの音量レベルを調整する。【００１６】
また、本発明にかかる再生方法は、情報取得工程と、音量レベル調整工程と、出力工程と、を含む。情報取得工程においては、音声データを含むデータ信号を記録媒体から読み取る。音量レベル調整工程においては、情報取得工程において取得したデータ信号に含まれる字幕情報および音声ストリーム情報の少なくとも一方に基づいて、データ信号に含まれる音声データの出力音量レベルを調整する。そして、出力工程において、音量レベル調整工程において出力音量調整した音声データを出力する。【００１７】
以上のような本発明においては、字幕情報および音声ストリーム情報の少なくとも一方に基づいて、記録媒体から読み取ったデータ信号に含まれる音声データの出力音量レベルを調整した上で出力する。これにより、記録媒体の再生時に、字幕情報および音声ストリーム情報の少なくとも一方から該記録媒体に記録されたコンテンツを判別し、判別したコンテンツに合わせて再生音量の調整を行うことが可能である。したがって、本発明によれば、ユーザの煩わしい音量調節作業を解消したスムーズな音声再生が可能である。
【実施例】
【００１８】
図１は、本発明にかかる再生装置であるＤＶＤ再生装置１００の概略構成を示す機能ブロック図である。図１に示すように本実施例にかかるＤＶＤ再生装置１００は、ピックアップ部１０１と、復調処理部１０２と、誤り訂正部１０３と、デマルチ部１０４と、ビデオデコーダ部１０５と、オーディオデコーダ部１０６と、ビデオ出力部１０７と、音量調整制御部１０８と、音量調整部１０９と、オーディオ出力部１１０と、を備えて構成されている。【００１９】
ピックアップ部１０１は、ＤＶＤにレーザビームを照射してＤＶＤからの反射光を受光することによりＤＶＤに記録されているデータ信号を読み出す。復調処理部１０２は、ピックアップ１０１部においてディスクから読み出したデータ信号を復調する。誤り訂正部１０３は、復調処理部１０２において復調したデータ信号の誤り訂正を行う。【００２０】
デマルチ部１０４は、ビデオ用信号とオーディオ用信号とにストリーム分離を行う。ビデオデコーダ部１０５は、ストリーム分離された信号をビデオ信号、たとえばＭＰＥＧ２信号に復調する。また、ビデオデコーダ部１０５は、字幕情報を含むサブピクチャーを復調するサブピクチャー復調部１０５１を備える。また、ビデオデコーダ部１０５は、サブピクチャー復調部１０５１で復調したサブピクチャーのうち字幕情報を音量調整制御部１０８に送出する。【００２１】
オーディオデコーダ部１０６は、ストリーム分離された信号をオーディオ信号に復調する。たとえば、ドルビーデジタルやリニアＰＣＭやＭＰＥＧオーディオを用いてオーディオ信号に復調される。また、オーディオデコーダ部１０６は、復調したオーディオ信号のうち所定の音声ストリーム情報を音量調整制御部１０８に送出する。ビデオ出力部１０７は、復調されたビデオ信号を出力する。【００２２】
音量調整制御部１０８は、ビデオデコーダ部１０５から字幕情報を受け取り、また、オーディオデコーダ部１０６から音声ストリーム情報を受け取り、これらの情報に基づいて音量調整部１０９における音量調整レベルを判断し、音量調整部１０９を制御する。音量調整部１０９では、音量調整制御部１０８の制御により、ＤＶＤ再生装置１００から出力する音量を調整する。オーディオ出力部１１０は、音量調整部１０９において音量調整がなされた復調されたオーディオ信号を出力する。【００２３】
このように構成されたＤＶＤ再生装置１００の基本的な動作について説明する。まず、ピックアップ部１０１がＤＶＤに記録されているデータ信号を読み出す。つぎに、ピックアップ部１０１においてディスクから読み出したデータ信号を復調処理部１０２が復調し、誤り訂正部１０３が復調処理部１０２において復調したデータ信号の誤り訂正を行う。【００２４】
つぎに、デマルチ部１０４は、復調、誤り訂正がなされたデータ信号を、ビデオ用データ信号とオーディオ用データ信号とにストリーム分離を行い、ビデオ用データ信号をビデオデコーダ部１０５に送り、オーディオ用データ信号をオーディオデコーダ部１０６に送出する。【００２５】
ビデオデコーダ部１０５は、ストリーム分離され、デマルチ部１０４から送られたビデオ用データ信号をビデオ信号、たとえばＭＰＥＧ２信号に復調し、ビデオ出力部１０７に送出する。また、ビデオデコーダ部１０５は、サブピクチャー復調部１０５１で字幕情報を含むサブピクチャーを復調し、ビデオ出力部１０７に送出する。また、復調したサブピクチャーのうち字幕情報を音量調整制御部１０８に送出する。ビデオ出力部１０７は、復調されたビデオ信号を出力する。【００２６】
オーディオデコーダ部１０６は、ストリーム分離され、デマルチ部１０４から送られたオーディオ用データ信号をたとえば、ドルビーデジタルやリニアＰＣＭやＭＰＥＧオーディオを用いてオーディオ信号に復調し、音量調整部１０９に送出する。また、オーディオデコーダ部１０６は、復調したオーディオ信号のうち所定の音声ストリーム情報を音量調整制御部１０８に送出する。音量調整部１０９では音量調整制御部１０８の制御により、オーディオデコーダ部１０６から入力されたオーディオ信号の音量を調整し、オーディオ出力部１１０に送出し、該オーディオ出力部１１０では、音量調整部１０９から入力されたオーディオ信号を所定の音量で出力する。【００２７】
つぎに、以上のように構成された本実施例にかかるＤＶＤ再生装置１００の特徴的な音量調整方法について説明する。まず、字幕情報を音量調整の判断条件として用いる場合について図２のフローチャートを用いて説明する。【００２８】
ビデオデコーダ部１０５のサブピクチャー復調部１０５１でサブピクチャーを復調した際に、字幕情報がある場合には映画系のコンテンツのＤＶＤであると判断し、記録されている音量が小さいと解釈し、音量調整制御部１０８の制御により音量調整部１０９を制御して音量を上げる補正を行う。字幕情報がある場合は、たいていの場合が映画（洋画）であるため、記録されている通常の会話等の音量が小さく設定されている。したがって、映画系のコンテンツのＤＶＤであると判断した場合には、音量を上げる補正を行うことにより、通常の会話等の音声を適当な音量で聞くことができる。【００２９】
また、ビデオデコーダ部１０５のサブピクチャー復調部１０５１でサブピクチャーを復調した際に、字幕情報がない場合には映画系のコンテンツ以外のＤＶＤであると判断する。字幕情報がない場合は、たいていの場合が音楽系のコンテンツのＤＶＤであるため、記録されている音量が大きく設定されている。したがって、音楽系のコンテンツのＤＶＤであると判断した場合には、音量を上げる補正を行う必要がない。【００３０】
字幕情報を音量調整の判断条件として用いる場合の第１の例として、字幕情報の言語情報が取得できず（または取得せず）、字幕情報の数に基づいて音量補正を行う場合について説明する。この場合、まず、ＤＶＤ再生装置１００の電源を入れ、ＤＶＤディスクを挿入する（ステップＳ１０１）。ＤＶＤディスクが挿入されると、音量調整制御部１０８は、前回の音量アップ補正条件をリセットする（ステップＳ１０２）。【００３１】
そして、ＤＶＤ再生装置１００は、上述したようにＤＶＤに記録されているデータ信号を読み出し、音量調整制御部１０８はビデオデコーダ部１０５からサブピクチャー等の情報を取得する（ステップＳ１０３）。音量調整制御部１０８はビデオデコーダ部１０５から取得したサブピクチャーの情報に字幕情報がｎ個以上あるか否かを判断する（ステップＳ１０４）。【００３２】
ここで、ｎは１以上の整数であり、１でも良く、また２以上でも良い。ｎの数が多いほど、字幕情報の数が多いことになり、ＤＶＤディスクが映画系のコンテンツのＤＶＤである確率が高いと考えられるからである。したがって、ｎの数が多いほど、より確実にＤＶＤディスクが映画系のコンテンツのＤＶＤであるか否かを判断することが可能となる。【００３３】
そして、サブピクチャーの情報に含まれる字幕情報がｎ個以上である場合には（ステップＳ１０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ１０５）。ここで、音量アップの１２ｄＢは、一例であり、ＤＶＤ再生装置１００が配置されている環境等の諸条件により適宜変更可能である。【００３４】
一方、サブピクチャーの情報に含まれる字幕情報がｎ個未満である場合には（ステップＳ１０４否定）、音量調整制御部１０８は再生するＤＶＤディスクが映画系のコンテンツのＤＶＤではないと判断し、音量調整部１０９に対して音量アップの補正の制御は行わない（ステップＳ１０６）。【００３５】
以上のように、「サブピクチャーの情報に字幕情報がｎ個以上あるか否か」という条件を音量調整の判断条件として用いることにより、再生するＤＶＤディスクが映画系のコンテンツのＤＶＤであるか否かを判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００３６】
つぎに、字幕情報を音量調整の判断条件として用いる場合の第２の例として、字幕情報の言語情報が取得でき（または取得し）、字幕情報の言語情報が複数あるか否かに基づいて音量補正を行う場合について図３のフローチャートを用いて説明する。この場合、まず、ＤＶＤ再生装置１００の電源を入れ、ＤＶＤディスクを挿入する（ステップＳ２０１）。ＤＶＤディスクが挿入されると、音量調整制御部１０８は、前回の音量アップ補正条件をリセットする（ステップＳ２０２）。【００３７】
そして、ＤＶＤ再生装置１００は、上述したようにＤＶＤに記録されているデータ信号を読み出し、音量調整制御部１０８はビデオデコーダ部１０５からサブピクチャー等の情報を取得する（ステップＳ２０３）。音量調整制御部１０８はビデオデコーダ部１０５から取得したサブピクチャーの情報の字幕情報に複数の言語情報があるか否かを判断する（ステップＳ２０４）。ここで、字幕情報の言語を判断することができ、字幕情報に複数の言語情報がある場合には、二カ国語以上の言語情報があり、そのＤＶＤディスクはほぼ映画系のコンテンツのＤＶＤであると考えられるからである。反対に、字幕情報に複数の言語情報がない場合には、そのＤＶＤディスクは映画系のコンテンツのＤＶＤである可能性が低いと考えられる。【００３８】
そして、サブピクチャーの情報に含まれる字幕情報に複数の言語情報がある場合には、（ステップＳ２０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ２０５）。ここで、音量アップの１２ｄＢは、一例であり、ＤＶＤ再生装置１００が配置されている環境等の諸条件により適宜変更可能である。【００３９】
一方、サブピクチャーの情報に含まれる字幕情報に複数の言語情報がない場合には、（ステップＳ２０４否定）、音量調整制御部１０８は再生するＤＶＤディスクが映画系のコンテンツのＤＶＤではないと判断し、音量調整部１０９に対して音量アップの補正の制御は行わない（ステップＳ２０６）。【００４０】
以上のように、「サブピクチャーの情報に含まれる字幕情報に複数の言語情報があるか否か」という条件を音量調整の判断条件として用いることにより、再生するＤＶＤディスクが映画系のコンテンツのＤＶＤであるか否かを判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００４１】
つぎに、字幕情報を音量調整の判断条件として用いる場合の第３の例として、上記の第１の例と第２の例とを組み合わせて音量補正を行う場合について図４のフローチャートを用いて説明する。この場合、まず、ＤＶＤ再生装置１００の電源を入れ、ＤＶＤディスクを挿入する（ステップＳ３０１）。ＤＶＤディスクが挿入されると、音量調整制御部１０８は、前回の音量アップ補正条件をリセットする（ステップＳ３０２）。【００４２】
そして、ＤＶＤ再生装置１００は、上述したようにＤＶＤに記録されているデータ信号を読み出し、音量調整制御部１０８はビデオデコーダ部１０５からサブピクチャー等の情報を取得する（ステップＳ３０３）。音量調整制御部１０８はビデオデコーダ部１０５から取得したサブピクチャーの情報の字幕情報に複数の言語情報があるか否かを判断する（ステップＳ３０４）。ここで、字幕情報に複数の言語情報がある場合には、そのＤＶＤディスクは映画系のコンテンツのＤＶＤであると考えられるからである。反対に、字幕情報に複数の言語情報がない場合には、そのＤＶＤディスクは映画系のコンテンツのＤＶＤである可能性は低いと考えられる。【００４３】
そして、サブピクチャーの情報に含まれる字幕情報に複数の言語情報がある場合には、（ステップＳ３０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ３０５）。ここで、音量アップの１２ｄＢは、一例であり、ＤＶＤ再生装置１００が配置されている環境等の諸条件により適宜変更可能である。【００４４】
一方、サブピクチャーの情報に含まれる字幕情報に複数の言語情報がない場合には、（ステップＳ３０４否定）、再度、ＤＶＤディスクが映画系のコンテンツのＤＶＤであるか否かをチェックするために音量調整制御部１０８はビデオデコーダ部１０５から取得したサブピクチャーの情報に字幕情報がｎ個以上あるか否かを判断する（ステップＳ３０６）。【００４５】
ここで、ｎは１以上の整数であり、１でも良く、また２以上でも良い。ｎの数が多いほど、字幕情報の数が多いことになり、ＤＶＤディスクが映画系のコンテンツのＤＶＤである確率が高いと考えられるからである。したがって、ｎの数が多いほど、より確実にＤＶＤディスクが映画系のコンテンツのＤＶＤであるか否かを判断することが可能となる。【００４６】
そして、サブピクチャーの情報に含まれる字幕情報がｎ個以上である場合には（ステップＳ３０６肯定）、音量調整制御部１０８は再生するＤＶＤディスクが映画系のコンテンツのＤＶＤであると判断し、音量調整部１０９に対して音量アップ（たとえば、６ｄＢ）の補正の制御を行う（ステップＳ３０７）。ここで、音量アップの６ｄＢは、一例であり、ＤＶＤ再生装置１００が配置されている環境等の諸条件により適宜変更可能である。ここでは、ステップＳ３０４における検出ミスがあった場合でも、ステップＳ３０６における判断で映画系のコンテンツのＤＶＤであると判断されたＤＶＤの音量調整を行うことができる。【００４７】
一方、サブピクチャーの情報に含まれる字幕情報がｎ個未満である場合には（ステップＳ３０６否定）、音量調整制御部１０８は再生するＤＶＤディスクが映画系のコンテンツのＤＶＤではないと判断し、音量調整部１０９に対して音量アップの補正の制御は行わない（ステップＳ３０８）。【００４８】
この例では、ステップＳ３０７における音量補正においてはステップＳ３０５よりも補正幅を小さくして音量アップを行っている。これは、この例においては、「サブピクチャーの情報に含まれる字幕情報に複数の言語情報があるか否か」という条件に、「再生するＤＶＤディスクが映画系のコンテンツのＤＶＤであるか否か判断する」際の優先度を与えたからである。【００４９】
したがって、「サブピクチャーの情報に含まれる字幕情報に複数の言語情報がある」場合には、再生するＤＶＤディスクが確実に映画系のコンテンツのＤＶＤであると判断し、音量の補正幅を大きく設定している。一方、「サブピクチャーの情報に含まれる字幕情報がｎ個以上である」場合には、再生するＤＶＤディスクのたいていが映画系のコンテンツのＤＶＤであると判断し、たとえば検出ミスで音楽系のＤＶＤディスクであった場合を考慮して、音量の補正幅を少し小さく設定している。このような判断の際の優先度は、適宜変更可能であり、また、音量の補正幅も適宜変更可能である。【００５０】
以上のように、「サブピクチャーの情報に字幕情報がｎ個以上あるか否か」という条件と、「サブピクチャーの情報に含まれる字幕情報に複数の言語情報があるか否か」という条件と、を音量調整の判断条件として用いることにより、再生するＤＶＤディスクが映画系のコンテンツのＤＶＤであるか否かをより高い精度で判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００５１】
つぎに、音楽ストリームを音量調整の判断条件として用いる場合について説明する。音量調整制御部１０８がオーディオデコーダ部１０６より取得した音声ストリームを判断条件として所定の条件を満たした場合には、映画系のコンテンツのＤＶＤであると判断し、記録されている音量が小さいと解釈し、音量調整制御部１０８の制御により音量調整部１０９を制御して音量を上げる補正を行う。したがって、映画系のコンテンツのＤＶＤであると判断した場合には、音量を上げる補正を行うことにより、通常の会話等の音声を適当な音量で聞くことができる。【００５２】
音声ストリーム情報を音量調整の判断条件として用いる場合の第１の例として、音声ストリームの言語情報が取得できず（または取得せず）、音声ストリームの数に基づいて音量補正を行う場合について図５のフローチャートを用いて説明する。この場合、まず、ＤＶＤ再生装置１００の電源を入れ、ＤＶＤディスクを挿入する（ステップＳ４０１）。ＤＶＤディスクが挿入されると、音量調整制御部１０８は、前回の音量アップ補正条件をリセットする（ステップＳ４０２）。【００５３】
そして、ＤＶＤ再生装置１００は、上述したようにＤＶＤに記録されているデータ信号を読み出し、音量調整制御部１０８はオーディオデコーダ部１０６から音声ストリーム情報を取得する（ステップＳ４０３）。音量調整制御部１０８はオーディオデコーダ部１０６から取得した音声ストリーム情報に、音声ストリームがｍ個以上あるか否かを判断する（ステップＳ４０４）。【００５４】
ここで、ｍは２以上の整数であり、任意に設定可能であり、たとえば３個とすることができる。ｍの数が多いほど、音声ストリームの数が多いことになり、ＤＶＤディスクが映画系のコンテンツのＤＶＤである確率が高いと考えられるからである。したがって、ｍの数が多いほど、より確実にＤＶＤディスクが映画系のコンテンツのＤＶＤであるか否かを判断することが可能となる。【００５５】
そして、音声ストリーム情報に含まれる音声ストリームがｍ個以上である場合には（ステップＳ４０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ４０５）。ここで、音量アップの１２ｄＢは、一例であり、ＤＶＤ再生装置１００が配置されている環境等の諸条件により適宜変更可能である。【００５６】
一方、音声ストリーム情報に含まれる音声ストリームがｍ個未満である場合には（ステップＳ４０４否定）、音量調整制御部１０８は再生するＤＶＤディスクが映画系のコンテンツのＤＶＤではないと判断し、音量調整部１０９に対して音量アップの補正の制御は行わない（ステップＳ４０６）。【００５７】
以上のように、「取得した音声ストリーム情報に音声ストリームがｍ個以上あるか否か」という条件を音量調整の判断条件として用いることにより、再生するＤＶＤディスクが映画系のコンテンツのＤＶＤであるか否かを高い精度で判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００５８】
つぎに、音声ストリーム情報を音量調整の判断条件として用いる場合の第２の例として、音声ストリームの言語情報が取得でき（または取得し）、音声ストリームの言語情報が複数あるか否かに基づいて音量補正を行う場合について図６のフローチャートを用いて説明する。この場合、まず、ＤＶＤ再生装置１００の電源を入れ、ＤＶＤディスクを挿入する（ステップＳ５０１）。ＤＶＤディスクが挿入されると、音量調整制御部１０８は、前回の音量アップ補正条件をリセットする（ステップＳ５０２）。【００５９】
そして、ＤＶＤ再生装置１００は、上述したようにＤＶＤに記録されているデータ信号を読み出し、音量調整制御部１０８はオーディオデコーダ部１０６から音声ストリーム情報を取得する（ステップＳ５０３）。音量調整制御部１０８はオーディオデコーダ部１０６から取得した音声ストリーム情報に複数の言語情報があるか否かを判断する（ステップＳ５０４）。ここで、音声ストリーム情報の言語を判断することができ、音声ストリーム情報に複数の言語情報がある場合には、二カ国語以上の言語情報があり、そのＤＶＤディスクはほぼ映画系のコンテンツのＤＶＤであると考えられるからである。反対に、音声ストリーム情報に複数の言語情報がない場合には、そのＤＶＤディスクは映画系のコンテンツのＤＶＤである可能性は低いと考えられる。【００６０】
そして、音声ストリーム情報に複数の言語情報がある場合には、（ステップＳ５０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ５０５）。ここで、音量アップの１２ｄＢは、一例であり、ＤＶＤ再生装置１００が配置されている環境等の諸条件により適宜変更可能である。【００６１】
一方、音声ストリーム情報に複数の言語情報がない場合には、（ステップＳ５０４否定）、音量調整制御部１０８は再生するＤＶＤディスクが映画系のコンテンツのＤＶＤではないと判断し、音量調整部１０９に対して音量アップの補正の制御は行わない（ステップＳ５０６）。【００６２】
以上のように、「取得した音声ストリーム情報に複数の言語情報があるか否か」という条件を音量調整の判断条件として用いることにより、再生するＤＶＤディスクが映画系のコンテンツのＤＶＤであるか否かを高い精度で判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００６３】
つぎに、音声ストリーム情報を音量調整の判断条件として用いる場合の第３の例として、上記の第１の例と第２の例とを組み合わせて音量補正を行う場合について図７のフローチャートを用いて説明する。この場合、まず、ＤＶＤ再生装置１００の電源を入れ、ＤＶＤディスクを挿入する（ステップＳ６０１）。ＤＶＤディスクが挿入されると、音量調整制御部１０８は、前回の音量アップ補正条件をリセットする（ステップＳ６０２）。【００６４】
そして、ＤＶＤ再生装置１００は、上述したようにＤＶＤに記録されているデータ信号を読み出し、音量調整制御部１０８はオーディオデコーダ部１０６から音声ストリーム情報を取得する（ステップＳ６０３）。音量調整制御部１０８はオーディオデコーダ部１０６から取得した音声ストリーム情報に複数の言語情報があるか否かを判断する（ステップＳ６０４）。ここで、音声ストリーム情報の言語を判断することができ、音声ストリーム情報に複数の言語情報がある場合には、二カ国語以上の言語情報があり、そのＤＶＤディスクはほぼ映画系のコンテンツのＤＶＤであると考えられるからである。反対に、音声ストリーム情報に複数の言語情報がない場合には、そのＤＶＤディスクは映画系のコンテンツのＤＶＤである可能性が低いと考えられる。【００６５】
そして、音声ストリーム情報に複数の言語情報がある場合には、（ステップＳ６０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ６０５）。ここで、音量アップの１２ｄＢは、一例であり、ＤＶＤ再生装置１００が配置されている環境等の諸条件により適宜変更可能である。【００６６】
一方、音声ストリーム情報に複数の言語情報がない場合には、（ステップＳ６０４否定）、再度、ＤＶＤディスクが映画系のコンテンツのＤＶＤであるか否かをチェックするために音量調整制御部１０８はオーディオデコーダ部１０６から取得した音声ストリーム情報に、音声ストリームがｍ個以上あるか否かを判断する（ステップＳ６０６）。【００６７】
ここで、ｍは２以上の整数であり、任意に設定可能であり、たとえば３個とすることができる。ｍの数が多いほど、音声ストリームの数が多いことになり、ＤＶＤディスクが映画系のコンテンツのＤＶＤである確率が高いと考えられるからである。したがって、ｍの数が多いほど、より確実にＤＶＤディスクが映画系のコンテンツのＤＶＤであるか否かを判断することが可能となる。【００６８】
そして、音声ストリーム情報に含まれる音声ストリームがｍ個以上である場合には（ステップＳ６０６肯定）、音量調整制御部１０８は再生するＤＶＤディスクが映画系のコンテンツのＤＶＤであると判断し、音量調整部１０９に対して音量アップ（たとえば、６ｄＢ）の補正の制御を行う（ステップＳ６０７）。ここで、音量アップの６ｄＢは、一例であり、ＤＶＤ再生装置１００が配置されている環境等の諸条件により適宜変更可能である。ここでは、ステップＳ６０４における検出ミスがあった場合でも、ステップＳ６０６における判断で映画系のコンテンツのＤＶＤであると判断されたＤＶＤの音量調整を行うことができる。【００６９】
一方、音声ストリーム情報に含まれる音声ストリームがｍ個未満である場合には（ステップＳ６０６否定）、音量調整制御部１０８は再生するＤＶＤディスクが映画系のコンテンツのＤＶＤではないと判断し、音量調整部１０９に対して音量アップの補正の制御は行わない（ステップＳ６０８）。【００７０】
この例では、ステップＳ６０７における音量補正においてはステップＳ６０５よりも補正幅を小さくして音量アップを行っている。これは、この例においては、「音声ストリーム情報に複数の言語情報があるか否か」という条件に、「再生するＤＶＤディスクが映画系のコンテンツのＤＶＤであるか否か判断する」際の優先度を与えたからである。【００７１】
したがって、「音声ストリーム情報に複数の言語情報がある」場合には、再生するＤＶＤディスクが確実に映画系のコンテンツのＤＶＤであると判断し、音量の補正幅を大きく設定している。一方、「音声ストリーム情報に含まれる音声ストリームがｍ個以上である」場合には、再生するＤＶＤディスクのたいていが映画系のコンテンツのＤＶＤであると判断し、たとえば検出ミスで音楽系のＤＶＤディスクであった場合を考慮して、音量の補正幅を少し小さく設定している。このような判断の際の優先度は、適宜変更可能であり、また、音量の補正幅も適宜変更可能である。【００７２】
以上のように、「取得した音声ストリーム情報に複数の言語情報があるか否か」という条件と、「取得した音声ストリーム情報に音声ストリームがｍ個以上あるか否か」という条件と、を音量調整の判断条件として組み合わせて用いることにより、再生するＤＶＤディスクが映画系のコンテンツのＤＶＤであるか否かをより高い精度で判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００７３】
つぎに、上述した字幕情報と音声ストリーム情報とを組み合わせて音量補正を行う場合について図８のフローチャートを用いて説明する。この場合、まず、ＤＶＤ再生装置１００の電源を入れ、ＤＶＤディスクを挿入する（ステップＳ７０１）。ＤＶＤディスクが挿入されると、音量調整制御部１０８は、前回の音量アップ補正条件をリセットする（ステップＳ７０２）。【００７４】
そして、ＤＶＤ再生装置１００は、上述したようにＤＶＤに記録されているデータ信号を読み出し、音量調整制御部１０８はビデオデコーダ部１０５からサブピクチャーの情報を、オーディオデコーダ部１０６から音声ストリーム情報を取得する（ステップＳ７０３）。音量調整制御部１０８はビデオデコーダ部１０５から取得したサブピクチャーの情報の字幕情報に複数の言語情報があるか否かを判断する（ステップＳ７０４）。ここで、字幕情報に複数の言語情報がある場合には、そのＤＶＤディスクは映画系のコンテンツのＤＶＤであると考えられるからである。反対に、字幕情報に複数の言語情報がない場合には、そのＤＶＤディスクはが映画系のコンテンツのＤＶＤである可能性は低いと考えられる。【００７５】
そして、サブピクチャーの情報に含まれる字幕情報に複数の言語情報がある場合には、（ステップＳ７０４肯定）、音量調整制御部１０８は再生するＤＶＤディスクが映画系のコンテンツのＤＶＤであると判断し、音量調整部１０９に対して音量アップ（たとえば、１２ｄＢ）の補正の制御を行う（ステップＳ７０５）。ここで、音量アップの１２ｄＢは、一例であり、ＤＶＤ再生装置１００が配置されている環境等の諸条件により適宜変更可能である。【００７６】
また、サブピクチャーの情報に含まれる字幕情報に複数の言語情報がない場合には、（ステップＳ７０４否定）、音量調整制御部１０８はオーディオデコーダ部１０６から取得した音声ストリーム情報に複数の言語情報があるか否かを判断する（ステップＳ７０６）。ここで、音声ストリーム情報の言語を判断することができ、音声ストリーム情報に複数の言語情報がある場合には、二カ国語以上の言語情報があり、そのＤＶＤディスクはほぼ映画系のコンテンツのＤＶＤであると考えられるからである。反対に、音声ストリーム情報に複数の言語情報がない場合には、そのＤＶＤディスクは映画系のコンテンツのＤＶＤである可能性が低いと考えられる。【００７７】
そして、音声ストリーム情報に複数の言語情報がある場合には、（ステップＳ７０６肯定）、音量調整制御部１０８は再生するＤＶＤディスクが映画系のコンテンツのＤＶＤであると判断し、ステップＳ７０５に進み、音量調整部１０９に対して音量アップ（たとえば、１２ｄＢ）の補正の制御を行う（ステップＳ７０５）。【００７８】
一方、音声ストリーム情報に複数の言語情報がない場合には、（ステップＳ７０６否定）、音量調整制御部１０８はビデオデコーダ部１０５から取得したサブピクチャーの情報に字幕情報がｎ個以上あるか否かを判断する（ステップＳ７０７）。【００７９】
ここで、ｎは１以上の整数であり、１でも良く、また２以上でも良い。ｎの数が多いほど、字幕情報の数が多いことになり、ＤＶＤディスクが映画系のコンテンツのＤＶＤである確率が高いと考えられるからである。したがって、ｎの数が多いほど、より確実にＤＶＤディスクが映画系のコンテンツのＤＶＤであるか否かを判断することが可能となる。【００８０】
そして、サブピクチャーの情報に含まれる字幕情報がｎ個以上である場合には（ステップＳ７０７肯定）、さらに音量調整制御部１０８はオーディオデコーダ部１０６から取得した音声ストリーム情報に、音声ストリームがｍ個以上あるか否かを判断する（ステップＳ７０８）。【００８１】
ここで、ｍは２以上の整数であり、任意に設定可能であり、たとえば３個とすることができる。ｍの数が多いほど、音声ストリームの数が多いことになり、ＤＶＤディスクが映画系のコンテンツのＤＶＤである確率が高いと考えられるからである。したがって、ｍの数が多いほど、より確実にＤＶＤディスクが映画系のコンテンツのＤＶＤであるか否かを判断することが可能となる。【００８２】
そして、音声ストリーム情報に含まれる音声ストリームがｍ個以上である場合には（ステップＳ７０８肯定）、音量調整制御部１０８は再生するＤＶＤディスクが映画系のコンテンツのＤＶＤであると判断し、ステップＳ７０５に進み、音量調整部１０９に対して音量アップ（たとえば、１２ｄＢ）の補正の制御を行う（ステップＳ７０５）。【００８３】
一方、音声ストリーム情報に含まれる音声ストリームがｍ個未満である場合には（ステップＳ７０８否定）、音量調整制御部１０８は再生するＤＶＤディスクが映画系のコンテンツのＤＶＤであると断定はできないが、映画系のコンテンツのＤＶＤである可能性があると判断し、音量調整部１０９に対して音量アップ（たとえば、６ｄＢ）の補正の制御を行う（ステップＳ７１０）。ここで、音量アップの６ｄＢは、一例であり、ＤＶＤ再生装置１００が配置されている環境等の諸条件により適宜変更可能である。【００８４】
ステップＳ７０７に戻って、サブピクチャーの情報に含まれる字幕情報がｎ個未満である場合には（ステップＳ７０７否定）、音量調整制御部１０８はオーディオデコーダ部１０６から取得した音声ストリーム情報に、音声ストリームがｍ個以上あるか否かを判断する（ステップＳ７０９）。【００８５】
ここで、ｍは２以上の整数であり、任意に設定可能であり、たとえば３個とすることができる。ｍの数が多いほど、音声ストリームの数が多いことになり、ＤＶＤディスクが映画系のコンテンツのＤＶＤである確率が高いと考えられるからである。【００８６】
そして、音声ストリーム情報に含まれる音声ストリームがｍ個以上である場合には（ステップＳ７０９肯定）、音量調整制御部１０８は再生するＤＶＤディスクが映画系のコンテンツのＤＶＤである可能性があると判断し、音量調整部１０９に対して音量アップ（たとえば、６ｄＢ）の補正の制御を行う（ステップＳ７１０）。【００８７】
一方、音声ストリーム情報に含まれる音声ストリームがｍ個未満である場合には（ステップＳ７０９否定）、音量調整制御部１０８は再生するＤＶＤディスクが映画系のコンテンツのＤＶＤではないと判断し、音量調整部１０９に対して音量アップの補正の制御は行わない（ステップＳ７１１）。【００８８】
以上のように、「字幕情報」と「音声ストリーム情報」とを音量調整の判断条件として組み合わせて用いることにより、再生するＤＶＤディスクが映画系のコンテンツのＤＶＤであるか否かをより高い精度で判別することができる。そして、この判別に基づいて音量の補正を行ったうえでオーディオ出力部１１０から音声を出力することができる。これにより、ユーザは、ＤＶＤディスクを入れ替えた都度、自ら煩わしい音量調整を行うことなく、適正な音量でＤＶＤディスクのコンテンツを楽しむことができる。【００８９】
以上において説明したように、本発明によれば、字幕情報および音声ストリーム情報の少なくとも一方に基づいて、記録媒体から読み取ったデータ信号に含まれる音声データの出力音量レベルを調整した上で出力する。これにより、記録媒体の再生時に、字幕情報および音声ストリーム情報の少なくとも一方から該記録媒体に記録されたコンテンツを判別し、判別したコンテンツに合わせて再生音量の調整を行うことが可能である。したがって、本発明によれば、従来のようにユーザが煩わしい音量調節作業を行うことなく、スムーズに適切な音量での音声再生が可能である。【００９０】
なお、上記においては、再生するＤＶＤディスクを音量調整制御部１０８が映画系のコンテンツのＤＶＤではないと判断した場合には、音量調整制御部１０８は音量調整部１０９に対して何ら補正の制御を行わない場合について説明したが、逆に音量ダウンの補正の制御を行う形態とすることも可能である。【００９１】
また、上記においては、ＤＶＤディスクを例に説明をしているが、本発明はこれに限定されず、ＤＶＤ以外の種々の記録媒体においても広く適用することが可能である。
【図１】
2006087974.tif 000002
【図２】
2006087974.tif 000003
【図３】
2006087974.tif 000004
【図４】
2006087974.tif 000005
【図５】
2006087974.tif 000006
【図６】
2006087974.tif 000007
【図７】
2006087974.tif 000008
【図８】
2006087974.tif 000009
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
音声データを含むデータ信号を記録媒体から読み取る情報取得手段と、
前記情報取得手段において取得した音声データを出力する出力手段と、
前記情報取得手段において取得したデータ信号に含まれる字幕情報および音声ストリーム情報の少なくとも一方に基づいて、前記出力手段から出力する音声データの音量レベルを調整する音量レベル調整手段と、
を備え、
前記音量レベル調整手段が、前記字幕情報に含まれる言語の数に基づいて前記出力手段から出力する音声データの音量レベルを調整すること、
を特徴とする再生装置。
【請求項４】
音声データを含むデータ信号を記録媒体から読み取る情報取得手段と、
前記情報取得手段において取得した音声データを出力する出力手段と、
前記情報取得手段において取得したデータ信号に含まれる字幕情報および音声ストリーム情報の少なくとも一方に基づいて、前記出力手段から出力する音声データの音量レベルを調整する音量レベル調整手段と、
を備え、
前記音量レベル調整手段が、前記音声ストリーム情報に含まれる音声ストリームの数に基づいて前記出力手段から出力する音声データの音量レベルを調整すること、
を特徴とする再生装置。
【請求項５】
音声データを含むデータ信号を記録媒体から読み取る情報取得手段と、
前記情報取得手段において取得した音声データを出力する出力手段と、
前記情報取得手段において取得したデータ信号に含まれる字幕情報および音声ストリーム情報の少なくとも一方に基づいて、前記出力手段から出力する音声データの音量レベルを調整する音量レベル調整手段と、
を備え、
前記音量レベル調整手段が、音声ストリーム情報に含まれる言語の数に基づいて前記出力手段から出力する音声データの音量レベルを調整すること、
を特徴とする再生装置。
【請求項６】
（削除）
【請求項７】
（削除）
【請求項８】
（削除）
【請求項９】
音声データを含むデータ信号を記録媒体から読み取る情報取得工程と、
前記情報取得工程において取得したデータ信号に含まれる字幕情報および音声ストリーム情報の少なくとも一方に基づいて、前記データ信号に含まれる音声データの出力音量レベルを調整する音量レベル調整工程と、
前記音量レベル調整工程において出力音量調整した音声データを出力する出力工程と、
を含み、
前記音量レベル調整工程において、前記字幕情報に含まれる言語の数に基づいて前記出力工程において出力する音声データの音量レベルを調整すること、
を特徴とする再生方法。
【請求項１０】
音声データを含むデータ信号を記録媒体から読み取る情報取得工程と、
前記情報取得工程において取得したデータ信号に含まれる字幕情報および音声ストリーム情報の少なくとも一方に基づいて、前記データ信号に含まれる音声データの出力音量レベルを調整する音量レベル調整工程と、
前記音量レベル調整工程において出力音量調整した音声データを出力する出力工程と、
を含み、
前記音量レベル調整工程において、前記音声ストリーム情報に含まれる音声ストリームの数に基づいて前記出力工程において出力する音声データの音量レベルを調整すること、
を特徴とする再生方法。
【請求項１１】
音声データを含むデータ信号を記録媒体から読み取る情報取得工程と、
前記情報取得工程において取得したデータ信号に含まれる字幕情報および音声ストリーム情報の少なくとも一方に基づいて、前記データ信号に含まれる音声データの出力音量レベルを調整する音量レベル調整工程と、
前記音量レベル調整工程において出力音量調整した音声データを出力する出力工程と、
を含み、
前記音量レベル調整工程において、音声ストリーム情報に含まれる言語の数に基づいて前記出力工程において出力する音声データの音量レベルを調整すること、
を特徴とする再生方法。
【手続補正２】
【補正対象書類名】明細書
【補正対象項目名】０００２
【補正方法】変更
【補正の内容】
【０００２】
の調整を必ず行わなければならない。
［０００５］
また、音楽のコンテンツのＤＶＤを再生した後に、映画のコンテンツのＤＶＤを再生した場合を考えた場合、音楽のコンテンツでは映画のコンテンツよりも音量が大きめに録音されている。このため、ユーザはある程度小さめのボリューム設定で音楽を聴いている。このため、音楽のコンテンツのＤＶＤやＣＤを再生した後に映画のコンテンツのＤＶＤを再生すると、ボリューム設定が小さめであり、且つ映画のコンテンツでは普通の音量が小さく抑えられているため、ユーザは音量を大きくするための調整を必ず行わなければならない。
［０００６］
このような記録するコンテンツに固有の再生音量に関する技術として、たとえばＣＤ再生兼用ＤＶＤ再生装置と、音声切り替え手段と、音声レベル調節手段を有し、再生されたディスクの音声ストリームの量子化ビット数、サンプリング周波数、およびメディアの種類を示す情報に応じて音声レベル調節手段を選択時に動作させることにより、本来のダイナミックレンジの確保、且つ再生されたディスクに応じた音声レベルを出力する技術が開示されている（例えば、特許文献１参照）。
［０００７］
特許文献１：特開２００３−２８１８２７号公報
［発明の開示］
［発明が解決しようとする課題］
［０００８］
しかしながら、上述したような従来の技術においては、音声ストリームの量子化ビット数やサンプリング周波数に応じて、再生されたディスクの音声を音声レベル調節手段を選択時に動作させるが、これらの情報では、映画のコンテンツのＤＶＤと音楽のコンテンツのＤＶＤのような異なるジャンルを検出できない場合があるという問題がある。
［０００９］
本発明は、上記に鑑みてなされたものであって、記録媒体の再生時に該記録媒体に記録されたコンテンツを判別し、判別したコンテンツに合わせて再生音量の調整を行うことにより煩わしい音量調節作業を解消することが可能な再生装置および再生方法を得ることを目的とする。
［課題を解決するための手段］
［００１０］
請求項３に記載の発明は、音声データを含むデータ信号を記録媒体から読み取る情報取得手段と、情報取得手段において取得した音声データを出力する出力手段
【手続補正３】
【補正対象書類名】明細書
【補正対象項目名】０００３
【補正方法】変更
【補正の内容】
【０００３】
と、情報取得手段において取得したデータ信号に含まれる字幕情報および音声ストリーム情報の少なくとも一方に基づいて、出力手段から出力する音声データの音量レベルを調整する音量レベル調整手段と、を備え、音量レベル調整手段が、字幕情報に含まれる言語の数に基づいて出力手段から出力する音声データの音量レベルを調整すること、を特徴とする再生装置。また、請求項４に記載の発明は、音声データを含むデータ信号を記録媒体から読み取る情報取得手段と、情報取得手段において取得した音声データを出力する出力手段と、情報取得手段において取得したデータ信号に含まれる字幕情報および音声ストリーム情報の少なくとも一方に基づいて、出力手段から出力する音声データの音量レベルを調整する音量レベル調整手段と、を備え、音量レベル調整手段が、音声ストリーム情報に含まれる音声ストリームの数に基づいて出力手段から出力する音声データの音量レベルを調整すること、を特徴とする。また、請求項５に記載の発明は、音声データを含むデータ信号を記録媒体から読み取る情報取得手段と、情報取得手段において取得した音声データを出力する出力手段と、情報取得手段において取得したデータ信号に含まれる字幕情報および音声ストリーム情報の少なくとも一方に基づいて、出力手段から出力する音声データの音量レベルを調整する音量レベル調整手段と、を備え、音量レベル調整手段が、音声ストリーム情報に含まれる言語の数に基づいて出力手段から出力する音声データの音量レベルを調整すること、を特徴とする。
［００１１］
請求項９に記載の発明は、音声データを含むデータ信号を記録媒体から読み取る情報取得工程と、情報取得工程において取得したデータ信号に含まれる字幕情報および音声ストリーム情報の少なくとも一方に基づいて、データ信号に含まれる音声データの出力音量レベルを調整する音量レベル調整工程と、音量レベル調整工程において出力音量調整した音声データを出力する出力工程と、を含み、音量レベル調整工程において、字幕情報に含まれる言語の数に基づいて出力工程において出力する音声データの音量レベルを調整すること、を特徴とする。また、請求項１０に記載の発明は、音声データを含むデータ信号を記録媒体から読み取る情報取得工程と、情報取得工程において取得したデータ信号に含まれる字幕情報および音声ストリーム情報の少なくとも一方に基づいて、データ信号に含まれる音声データの出力音量レベルを調整する音量レベル調整工程と、音量レベル調整工程において出力音量調整した音声データを出力する出力工程と、を含み、音量レベル調整工程において、音声ストリーム情報に含まれる音声ストリームの数に基づいて出力工程において出力する音声データの音量レベルを調整すること、を特徴とする。また、請求項１１に記載の発明は、音声データを含むデータ信号を記録媒体から読み取る情報取得工程と、情報取得工程において取得したデータ信号に含まれる字幕情報および音声ストリーム情報の少なくとも一方に基づいて、データ信号に含まれる音声データの出力音量レベルを調整する音量レベル調整工程と、音量レベル調整工程において出力音量調整した音声データを出力する出力工程と、を含み、音量レベル調整工程において、音声ストリーム情報に含まれる言語の数に基づいて出力工程において出力する音声データの音量レベルを調整すること、を特徴とする。
［図面の簡単な説明］
［００１２］
［図１］図１は、本実施例にかかるＤＶＤ再生装置の概略構成を示す機能ブロック図である。
［図２］図２は、本実施例にかかるＤＶＤ再生装置の処理を説明するためのフローチャートである。
［図３］図３は、本実施例にかかるＤＶＤ再生装置の処理を説明するためのフローチャートである。
［図４］図４は、本実施例にかかるＤＶＤ再生装置の処理を説明するためのフローチャートである。
［図５］図５は、本実施例にかかるＤＶＤ再生装置の処理を説明するためのフローチャートである。
［図６］図６は、本実施例にかかるＤＶＤ再生装置の処理を説明するためのフローチャートである。
［図７］図７は、本実施例にかかるＤＶＤ再生装置の処理を説明するためのフローチャートである。
［図８］図８は、本実施例にかかるＤＶＤ再生装置の処理を説明するためのフローチャートである。
［符号の説明］
［００１３］
１００  ＤＶＤ再生装置
【国際調査報告】
2006087974.tif 000010
2006087974.tif 000011